(57)【要約】【課題】記録障害を生じさせた故障装置とその故障箇所の特定の容易化。【解決手段】映像信号を記録器１３が記録媒体Ａに記録し、記録器１３の記録動作に関する履歴情報を履歴情報収集器１６が収集し、履歴情報を履歴情報重畳処理器１２が映像信号に加える。履歴情報が加えられた映像信号は、記録器１３によって記録媒体Ａに記録される。【選択図】　図１
2004118965.tif 000002
【特許請求の範囲】
【請求項１】
映像信号を記録媒体に記録する記録器と、
前記記録器の記録動作に関する履歴情報を収集する履歴情報収集器と、
前記履歴情報を前記映像信号に加える履歴情報重畳処理器と、
を有し、
前記記録器は、前記履歴情報が加えられた前記映像信号を前記記録媒体に記録するものである、
ことを特徴とする映像信号記録装置。
【請求項２】
請求項１に記載の映像信号記録装置において、
前記履歴情報を装置外部に告知する告知器をさらに有する、
ことを特徴とする映像信号記録装置。
【請求項３】
請求項１または２に記載の映像信号記録装置において、
前記履歴情報収集器は、記録時におけるこの映像信号記録装置の状態に関する情報を含む履歴情報を収集するものである、
ことを特徴とする映像信号記録装置。
【請求項４】
請求項１ないし３のいずれかに記載の映像信号記録装置において、
前記記録器により記録動作中の前記記録媒体から既存履歴情報を抽出する既存履歴情報抽出処理器をさらに有し、
前記履歴情報重畳処理器は、前記既存履歴情報に前記履歴情報を付加することで累積履歴情報を作製したうえで、作製した前記累積履歴情報を前記映像信号に加えるものである、
ことを特徴とする映像信号記録装置。
【請求項５】
請求項１ないし４のいずれかに記載の映像信号記録装置で映像信号が記録された前記記録媒体から前記映像信号を再生する再生器と、
前記再生器で再生された映像信号から前記履歴情報を抽出する既存履歴情報抽出処理器と、
を有することを特徴とする映像信号再生装置。
【請求項６】
請求項５に記載の映像信号再生装置において、
前記既存履歴情報抽出処理器で抽出された前記既存履歴情報を外部に告知する告知器をさらに有する、
ことを特徴とする映像信号再生装置。
【請求項７】
請求項１ないし４のいずれかに記載の映像信号記録装置の少なくとも一つと、請求項５または６に記載の映像信号再生装置の少なくとも一つとを互いに並列に接続し、
前記映像信号再生装置の少なくとも一つにおいて前記記録媒体から再生した映像信号を、前記映像信号記録装置の少なくとも一つが他の前記記録媒体に記録する、
ことを特徴とする映像編集システム。
【請求項８】
記録されている映像信号に、この映像信号を記録した映像信号記録装置の記録動作に関する履歴情報が重畳されている、
ことを特徴する映像信号記録媒体。
【請求項９】
請求項８に記載の映像信号記録媒体において、
前記履歴情報は、前記映像信号記録装置の状態に関する情報である、
ことを特徴とする映像信号記録媒体。
【請求項１０】
請求項８または９に記載の映像信号記録媒体において、
前記履歴情報は、この記録媒体に映像信号の記録操作を実施した全ての映像信号記録装置による記録動作に関する履歴情報を累積した情報である、
ことを特徴とする映像信号記録媒体。
【発明の詳細な説明】
【０００１】
【発明の属する技術分野】
本発明は、映像信号記録装置、映像信号再生装置、映像信号編集システム、および映像信号記録媒体に関する。
【０００２】
【従来の技術】
従来から、複数の映像信号記録再生装置を組み合わせてなる映像信号編集システムが用いられている。（例えば、特許文献１（全文）参照）
【０００３】
【特許文献】
特開平６−２９０５４０号
【０００４】
【発明が解決しようとする課題】
このような映像信号編集システムにおいては、映像信号の記録障害が生じた場合、その障害の原因となった映像信号記録再生装置を特定してその装置を修理することに手間と時間が非常にかかる。これは、次のような理由による。
【０００５】
記録障害は記録媒体中において不良映像として具象化する。そのため、記録障害は、編集途中もしくは編集作業を終えた映像信号が記録された記録媒体を再生しているときに初めて露呈することが多い。
【０００６】
編集済み映像を作製するために実施される編集作業は複数回にわたる。そのため、一連の編集作業中において、編集中の映像信号（記録媒体）の記録再生操作に携わる映像信号記録再生装置は複数台となる。
【０００７】
記録障害が判明した時点においてその記録媒体に記録された映像信号に対して実施された記録再生動作の実施回数が比較的少ない場合、編集作業者の記憶を基にして記録障害の原因となった映像信号記録再生装置を特定することは不可能ではない。しかしながら、記録障害が判明した時点においてその記録媒体に対する記録再生動作の実施回数が多くなってくると、記録障害の原因となった映像信号記録再生装置を特定することは困難を極める。
【０００８】
その場合、例えば、まず、上記記録障害が生じる可能性のある故障が推定される。そして、システムを構成する各映像信号記録再生装置全てに対して前記推定した故障の検査を実施することで故障装置が特定される。そして、特定した故障装置の修理が実施される。
【０００９】
しかしながら、これでは、熟練した修理担当者が必要となるうえに、熟練した修理担当者であっても多大な時間と労力が必要となる。
【００１０】
したがって、本発明の主たる目的は、記録障害を生じさせた故障装置およびその故障箇所の特定を容易にすることである。
【００１１】
【課題を解決するための手段】
上述した目的を達成するためには、本発明の映像信号記録装置は、
映像信号を記録媒体に記録する記録器と、
前記記録器の記録動作に関する履歴情報を収集する履歴情報収集器と、
前記履歴情報を前記映像信号に加える履歴情報重畳処理器と、
を有し、
前記記録器は、前記履歴情報が加えられた前記映像信号を前記記録媒体に記録するものである、
ことに特徴を有している。
【００１２】
また、本発明の映像信号再生装置は、上記映像信号記録装置で映像信号が記録された前記記録媒体から前記映像信号を再生する再生器と、
前記再生器で再生された映像信号から前記履歴情報を抽出する既存履歴情報抽出処理器と、
を有することに特徴を有している。
【００１３】
これにより、次のような作用を発揮する。記録媒体には、その記録媒体に記録されている映像信号を作製する際に実施された記録操作に関する履歴情報が記録されることになる。そのため、記録媒体から履歴情報を読み出して解析すれば、記録媒体に記録されている映像信号を作製する際に実施された記録操作の経過を、辿ることができる。これにより、記録媒体中の映像信号に記録障害が発見された場合であっても、記録媒体に記録されている履歴情報を読み出して解析することで、記録障害の原因となった映像信号記録装置の特定と特定した装置の故障部位の特定とを短時間にしかも精度高く行うことができる。
【００１４】
なお、履歴情報としては、記録時における映像信号記録・再生装置の状態に関する情報を含んだものであるのが好ましい。装置の状態に関する情報としては、具体的には、映像信号記録装置の機種，シリアルナンバー，　装置それぞれに予め付与された装置特定情報，記録ヘッドの動作時間情報（ヘッドローテーション情報），映像信号中の誤値率情報（エラーレート情報），音声記録領域に設けられた複数チャンネル中のどのチャンネルに音声データが重畳されているかを示す情報（チャンネル情報），記録操作内容情報（ノーマル録画，アセンブル録画，インサート録画等），外部環境に関する情報（温度，湿度等）などが例として挙げられる。
【００１５】
本発明においては、前記記録器により記録動作中の前記記録媒体から既存履歴情報を抽出する既存履歴情報抽出処理器をさらに有し、
前記履歴情報重畳処理器は、前記既存履歴情報に前記履歴情報を付加することで累積履歴情報を作製したうえで、作製した前記累積履歴情報を前記映像信号に加えるものであれば、次のようになる。
【００１６】
前述したように、一つの映像作品を作成するために行われる一連の編集作業中においては、延べにして多数の記録装置が記録再生操作に携わることになる。そのため、編集中もしくは編集を終えた映像信号（記録媒体）に記録障害を発見したとしても、その記録障害の原因となった装置を特定するのは容易なことではない。
【００１７】
そのような複数の装置から記録障害の原因となった装置を特定する場合、本発明は特に有効となる。すなわち、本発明の累積履歴情報を作成して記録媒体に記録しておけば、編集中の映像信号（記録媒体）の記録操作に携わった映像信号記録装置を精度高く特定することが可能となる。
【００１８】
本発明の映像信号記録装置や映像信号再生装置は、前記履歴情報を外部に告知する告知器をさらに有するのが好ましい。そうすれば、編集履歴の調査者（修理担当者等）は、告知器による告知内容に基づいて容易に履歴情報を把握することができる。なお、告知器としては、履歴情報を音声に変換して発声する音声変換器や、履歴情報を画像に変換して表示する画像表示器等がその例として挙げられる。
【００１９】
本発明で解決しょうとしている課題は、映像信号記録装置や映像信号再生装置を複数組み合わせて映像編集システムを構成した場合に顕著に表れる。そのため、このような映像信号編集システムにおいて本発明を実施すれば、顕著な効果を得ることができる。
【００２０】
【発明の実施の形態】
図１は、本発明の一実施形態のＯＬＥ＿ＬＩＮＫ１映像編集システム１ＯＬＥ＿ＬＩＮＫ１の構成を示す構成図である。映像編集システム１は、複数の装置２Ａ〜２Ｘと、これら装置２Ａ〜２Ｘを互いに任意に接続する接続交換器３と、編集操作者の入力を受けて、接続交換器３にその制御指令を出力する編集操作器４とを有している。
【００２１】
装置２Ａ〜２Ｘは、映像信号記録再生装置１０と映像信号記録装置３０と映像信号再生装置４０とのうちの何れかから構成されている。これら装置１０，３０，４０は、磁気記録テープ等からなる記録媒体Ａに対して映像信号の記録操作／再生操作／記録・再生操作のうちのいずれかを実行する。
【００２２】
まず、映像信号記録再生装置１０の構成を説明する。映像信号記録再生装置１０は、図２に示すように、信号処理統轄部１１Ａと、履歴情報重畳処理器１２と、記録器１３と、再生器１４と、既存履歴情報抽出処理器１５と、履歴情報収集器１６と、状態センサ１７と、告知器２０Ａとを備えている。
【００２３】
信号処理統轄部１１Ａは、操作器２２と、記録信号処理器２３と、再生信号処理器２４とを備えている。操作器２２は、編集操作器４からの制御命令（映像信号の記録・再生に関する制御指令）を受けてその制御命令に沿った制御指令を記録信号処理器２１，再生信号処理器２４，記録器１３，および再生器１４に出力する。記録信号処理器２３は、映像信号を記録媒体Ａに記録するために信号処理する。再生信号処理器２４は、記録媒体Ａから再生される映像信号を信号処理する。記録信号処理器２３と再生信号処理器２４とは、操作器２２の制御指令に基づいて信号処理する。
【００２４】
記録器１３は、映像信号を記録媒体Ａに記録する。再生器１４は、記録媒体Ａを再生して映像信号を取り出す。再生器１４は、記録器１３が記録する媒体上のポイントより記録再生時間にして若干手前に位置する媒体上のポイントを再生するように構成されている。なお、記録媒体Ａが磁気テープの場合、記録器１３や再生器１４は、磁気記録再生装置から構成される。
【００２５】
履歴情報収集器１６は、信号処理統轄部１１Ａが実行する処理（具体的には、記録動作）に関する履歴情報を収集する。状態センサ１７は、映像信号記録再生装置１０の動作時の装置内部温度や湿度等の環境状態を示すデータを検出する。
【００２６】
履歴情報重畳処理器１２は、履歴情報信号処理器１２ａと履歴情報重畳器１２ｂとを備えている。履歴情報信号処理器１２ａは、既存履歴情報（既存履歴情報抽出器１５ａの出力）に、履歴情報（機器情報収集器１６と状態センサ１７との出力）を付加することで累積履歴情報を作製する処理と、作製した累積履歴情報を映像信号に重畳可能なデータ形態（以下、重畳データという）に変換する処理と、前記検出データを操作者に告知可能な告知信号に変換する処理とを行う。履歴情報重畳器１２ｂは、履歴情報信号処理器１２ａが出力する重畳データを映像信号に重畳して記録器１３に出力する。
【００２７】
既存履歴情報抽出処理器１５は、既存履歴情報抽出器１５ａと抽出情報信号処理器１５ｂとを備えている。既存履歴情報抽出器１５ａは再生器１４が再生した映像信号から既存履歴情報を抽出する。抽出情報信号処理器１５ｂは、既存履歴情報抽出器１５ａが抽出した既存履歴情報を操作者に告知可能な告知信号に変換する。告知器２０Ａは表示装置，スピーカ等から構成され、履歴情報信号処理器１２ａや抽出情報信号処理器１５ｂが出力する告知信号を音声，画像に変換して外部に告知する。
【００２８】
映像信号記録装置３０は、図３に示すように、映像信号記録再生装置１０の記録に関する構成だけを有する装置である。具体的には、映像信号記録装置３０は、信号処理統轄部１１Ｂ（操作器２２と記録信号処理器２３とから構成される）と、履歴情報重畳処理器１２と、記録器１３と、履歴情報収集器１６と、状態センサ１７と、告知器２０Ａと、既存履歴情報再生器３１と、既存履歴情報抽出処理器３２とから構成される。これらは、映像信号記録再生装置１０と基本的には同様の構成を有しており、同一ないし同様の部分には同一の符号を付している。
【００２９】
ただし、既存履歴情報再生器３１と既存履歴情報抽出処理器３２とは次のように機能する。
【００３０】
既存履歴情報再生器３１は、記録媒体Ａに記録されている映像信号のうち既存履歴情報の信号領域を選択的に取り出せるように記録媒体Ａを再生する。既存履歴情報再生器３１は、再生器１４と同様、記録器１３が記録する媒体上のポイントより記録再生時間にして若干手前に位置する媒体上のポイントを再生するように構成されている。
【００３１】
既存履歴情報抽出処理器３２は、既存履歴情報抽出器３２ａと抽出情報信号処理器３２ｂとを備えている。既存履歴情報抽出処理器３２の構成は、基本的には、映像信号記録再生装置１０における既存履歴情報抽出処理器１５の構成と同様である。ただし、既存履歴情報抽出器３２ａは、既存履歴情報再生器３１によって記録媒体Ａから再生された映像信号から既存履歴情報を抽出する。
【００３２】
映像信号再生装置４０は、図４に示すように、映像信号記録再生装置１０の再生に関する構成だけを有する装置である。具体的には、映像信号再生装置４０は、信号処理統轄部１１Ｃ（操作器２２と再生信号処理器２４とから構成される）と、再生器１４と、既存履歴情報抽出処理器１５（既存履歴情報抽出器１５ａと抽出情報信号処理器１５ｂとから構成される）と告知器２０Ｂとから構成される。これらは、映像信号記録再生装置１０と基本的には同様の構成を有しており、同一ないし同様の部分には同一の符号を付している。ただし、告知器２０Ｂは、抽出情報信号処理器１５ｂが出力する告知信号だけを音声，画像に変換して外部に告知する。
【００３３】
以下、この映像編集システムの動作を説明する。ここでは、映像信号記録再生装置１０もしくは映像信号再生装置４０から構成された装置２Ｆで再生した映像信号が映像信号記録再生装置１０もしくは映像信号記録装置３０で構成された装置２Ａで記録される場合を例にして説明する。
【００３４】
各装置２Ａ〜２Ｘに設けられた履歴情報収集器１６には、予め、その装置の機種情報，シリアルナンバー情報，ヘッドローテーション情報等の履歴情報が格納されている。なお、ヘッドローテーション情報は、その装置の駆動時間等に応じて順次更新されている。
【００３５】
まず、編集操作者は、映像元データが記録された記録媒体Ａを装置２Ｆに装填するとともに、記録先の記録媒体Ａを装置２Ａに装填する。そのうえで、編集操作者は、装置２Ｆを再生装置とし、装置２Ａを記録装置に設定することを編集操作器４に入力する。
【００３６】
さらに編集操作者は編集操作器４を介して装置２Ａ，２Ｆを操作することで、
・映像元記録媒体Ａ上や記録先記録媒体Ａ上における編集点（イン点、アウト点）の設定、
・記録モード（ノーマル録画，アセンブル録画，インサート録画等）の設定、
等を行ったうえで、その編集設定モードに沿って編集操作を実施する。編集操作については従来と同様であるので、ここではその説明は省略される。ただし、記録先装置２Ａでは、設定された記録モード情報が履歴情報収集器１６に記憶される。
【００３７】
以上の準備操作を行ったうえで、編集操作（装置２Ｆによる再生と装置２Ａによる記録）が実施される。このとき、装置２Ａでは記録器１３により映像データを記録しながら、再生器１４（もしくは、既存履歴情報再生器３１）により、記録先記録媒体Ａの再生が実施される。ここで、記録媒体Ａ上の再生点は、記録点より記録再生時間にして若干手前側となる。
【００３８】
再生器１４（もしくは、既存履歴情報再生器３１）で再生された記録先記録媒体Ａの映像信号は、既存履歴情報抽出器１５ａ（もしくは、３２ａ）に入力され、ここで、映像信号から既存履歴情報が抽出される。既存履歴情報とは、予め、記録先記録媒体Ａに記録されている履歴情報である。記録媒体Ａに記録される履歴情報およびその記録位置等の詳細については後述される。抽出された既存履歴情報は、抽出情報信号処理器１５ｂ（もしくは、３２ｂ）に入力される。
【００３９】
一方、記録器１３による記録操作が実行されると、履歴情報収集器１６は、履歴情報を生成して履歴情報信号処理器１２ａに出力する。履歴情報は、映像信号記録・再生装置の機種，シリアルナンバー，　装置特定情報，記録・再生ヘッドの動作時間情報（ヘッドローテーション情報），映像信号中の誤値率情報（エラーレート情報），音声記録領域に設けられた複数チャンネル中のどのチャンネルに音声データが重畳されるのかを示す情報（チャンネル情報），記録操作内容情報（ノーマル録画，アセンブル録画，インサート録画等），外部環境に関する情報（温度，湿度等）がある。
【００４０】
映像信号記録・再生装置の機種，シリアルナンバー，装置特定情報等は、予め履歴情報収集器１６に記憶されている。記録・再生ヘッドの動作時間情報（ヘッドローテーション情報）も、予め履歴情報収集器１６に記憶されているが、装置２Ａの駆動に伴ってそのデータは、常時更新されている。映像信号中の誤値率情報（エラーレート情報）は、記録動作中、抽出情報信号処理器１５ｂによって常時更新されつつ作製されて履歴情報重畳器１２ｂに入力される。
【００４１】
音声記録領域に設けられた複数チャンネル中のどのチャンネルに音声データが重畳されるかを示す情報（チャンネル情報）や記録操作内容情報（ノーマル録画，アセンブル録画，インサート録画等）は、履歴情報収集器１６が自身で記憶している記録モード情報に基づいて作製する。
【００４２】
外部環境に関する情報（温度，湿度等）は、状態センサ１７が検出して履歴情報収集器１６に供給している。
【００４３】
履歴情報信号処理器１２ｂ（もしくは３２ｂ）は、履歴情報収集器１６から供給される履歴情報に、抽出情報信号処理器１５ｂから供給される既存履歴情報を付加することで累積履歴情報を作製する。履歴情報信号処理器１２ａは、作製した累積履歴情報を、履歴情報重畳器１２ｂと告知器２０Ａ（または２０Ｂ）とに出力する。
【００４４】
履歴情報重畳器１２ｂは、供給される累積履歴情報を映像信号に重畳して記録器１３に出力する。記録器１３は、累積履歴情報が重畳された映像信号を、記録先記録媒体Ａに記録する。告知器２０Ａ（もしくは２０Ｂ）は、供給される累積履歴情報を音声や画像に変換して編集操作者に告知する。
【００４５】
累積履歴情報を重畳する映像信号の位置としては、例えば、図５に示すようなデータ位置がある。図５は、デジタルビデオテープの記録フォーマットの一例を示している。このようなデジタルビデオテープの記録フォーマットにおいて、累積履歴情報は、オーディオ記録領域４１に設けられたメタデータ領域４２に記録することができる。
【００４６】
以上のようにして記録媒体Ａに累積履歴情報を記憶する。記録媒体Ａに記録された映像信号に記録障害が生じている場合には、次のようにしてその障害原因となる装置２Ａ〜２Ｘと、その故障部位が特定される。
【００４７】
編集作業が終了した記録媒体Ａを、映像信号記録再生装置１０もしくは映像信号再生装置４０において再生することで、その記録媒体Ａの任意の記録位置で記録障害を発見したとする。その場合、修理担当者は、障害が発生している記録位置を再度再生する。これにより、既存履歴情報抽出器１５ａ（もしくは３２ａ）は累積履歴情報を取り出す。そして、その累積履歴情報は告知器２０Ａ（もしくは２０Ｂ）によって修理担当者に告知される。
【００４８】
修理担当者は、その告知内容を検討することで、記録障害が発生している記録媒体Ａの編集（記録）に携わった装置２Ａ〜２Ｘを特定する。この場合、一つもしくは複数の装置２Ａ〜２Ｘが特定される。修理担当者は、特定したこれら装置２Ａ〜２Ｘの中から、その記録障害が生じる可能性のある記録操作を実施した装置もしくは記録障害が生じる可能性のある操作環境（温度・湿度）となっていた装置２Ａ〜２Ｘをさらに特定する。
【００４９】
このような装置特定操作を実施することで、最終的に一つもしくは比較的少ない数の装置２Ａ〜２Ｘを特定する。そして、特定した装置２Ａ〜２Ｘの装置内を検査することで最終的に故障装置とその故障部位を特定してその故障部位を修理する。
【００５０】
このように、映像編集システム１では、記録障害の原因となった装置２Ａ〜２Ｘを、迅速にしかも精度高く特定することができる。
【００５１】
以上説明した実施の形態では、既存履歴情報に履歴情報を付加することで累積履歴情報を作製したうえで、作製した累積履歴情報を映像信号に加えていた。しかしながら、累積履歴情報ではなく、記録操作毎の履歴情報を、記録操作毎に映像信号に付加してももよく、この場合であっても、記録障害の原因となった装置２Ａ〜２Ｘの特定を行うことができる。
【００５２】
【発明の効果】
以上説明したように、本発明によれば、記録媒体に書き込む履歴情報を解析することで、記録障害を生じさせた故障装置およびその故障箇所を容易に特定することができる。
【図面の簡単な説明】
【図１】本発明の一実施形態の映像信号記録再生装置，映像信号記録装置，ないし映像信号再生装置から構成された映像編集システムを示す図である。
【図２】実施の形態の映像信号記録再生装置の構成を示す図である。
【図３】実施の形態の映像信号記録装置の構成を示す図である
【図４】実施の形態の映像信号再生装置の構成を示す図である。
【図５】実施の形態の装置で記録される映像信号のフォーマットを示す図である。
【符号の説明】
１　映像編集システム　　　２Ａ〜２Ｘ　装置
３　接続交換器　　　　４　編集操作器
１０　映像信号記録再生装置　　１１Ａ〜Ｃ　信号処理統轄部
１２　履歴情報重畳処理器１２　　１２ａ　履歴情報信号処理器
１２ｂ　履歴情報重畳器　　　１３　記録器
１４　再生器　　　　　１５　既存履歴情報抽出処理器
１５ａ　既存履歴情報抽出器　　１５ｂ　抽出情報信号処理器
１６　履歴情報収集器　　　１７　状態センサ
２０Ａ，２０Ｂ　告知器　　　２２　操作器
２３　記録信号処理器　　　２４　再生信号処理器
３０　映像信号記録装置　　　３１　既存履歴情報再生器
３２　既存履歴情報抽出処理器　　　　　　３２ａ　既存履歴情報抽出器
３２ｂ　抽出情報信号処理器　　４０　映像信号再生装置
【図１】
2004118965.tif 000003
【図２】
2004118965.tif 000004
【図３】
2004118965.tif 000005
【図４】
2004118965.tif 000006
【図５】
2004118965.tif 000007